(57)【特許請求の範囲】
【請求項１】
表示画面に少なくとも１つのアイコン画像を表示すると共にタッチパネルを有する入力表示部と、
上記タッチパネルへのユーザーの指またはペン状物体の接触箇所が上記アイコン画像に対応する検出領域であるか否かを判断する位置判断部と、
上記接触箇所が上記アイコン画像に対応する検出領域であると上記位置判断部が判断した場合に、上記アイコン画像に対応する入力がなされたと判断する入力判断部と、
上記アイコン画像に対応する検出領域の初期設定を、予め定められている複数の領域の中から切り換え選択した一つの領域に設定する検出領域設定部と
を備え、
上記予め定められている複数の領域は、アイコン画像と同じ領域,アイコン画像よりも広い領域およびアイコン画像よりも狭い領域の３種の領域であり、尚且つ、上記入力表示部によって複数の上記アイコン画像が表示されている場合には、上記アイコン画像に対応する検出領域の初期設定用の領域として、上記３種のうちの少なくとも２種の領域が設定されている入力表示装置を備え、
上記入力表示装置の上記入力表示部が上記表示画面に表示するアイコン画像は、加熱を開始するための加熱開始アイコン画像と、加熱を停止するための加熱停止アイコン画像とを含み、
上記検出領域設定部は、上記加熱開始アイコン画像に対応する検出領域の初期設定を、上記加熱開始アイコン画像よりも狭い領域に設定する一方、上記加熱停止アイコン画像に対応する検出領域の初期設定を、上記加熱停止アイコン画像よりも広い領域に設定する
ことを特徴とする加熱調理器。
【請求項２】
請求項１に記載の加熱調理器において、
上記入力表示部は、上記表示画面に複数のアイコン画像を表示し、
上記複数のアイコン画像の検出領域の検出感度を、各アイコン画像に応じて互いに異なる２段階以上の値に設定する検出感度設定部を備え、
上記検出感度設定部が設定する上記検出感度の値は、ユーザーの指またはペン状物体がアイコン画像を押す強さを表す値である
ことを特徴とする加熱調理器。
【発明の詳細な説明】
【技術分野】
【０００１】
この発明は、入力表示装置および加熱調理器に関し、詳しくは、タッチパネルを備えた入力表示装置およびその入力表示装置を備えた加熱調理器に関する。
【背景技術】
【０００２】
従来、この種の入力表示装置では、タッチパネルへ指または入力ペンを接触させたときに、上記接触の箇所がボタン画像の領域内である場合は上記ボタン画像に対応する入力がなされたものと判断する一方、上記接触の箇所がボタン画像の領域外である場合は上記ボタン画像に対応する入力がなされていないと判断していた。
【０００３】
ところで、上記従来の入力表示装置では、上記ボタン画像が小さい場合等に、ピンポイントで上記小さいボタン画像を押すことが難しく、目的のボタン画像の隣のボタン画像を押してしまう等の入力ミスが生じ易いという問題がある。また、複数のボタン画像間の間隔が狭い場合、入力を行なう際に誤って隣接する別のボタン画像の入力をしてしまう入力ミスが生じ易いという問題もある。
【先行技術文献】
【特許文献】
【０００４】
【特許文献１】特開平５−７４０００号公報
【発明の概要】
【発明が解決しようとする課題】
【０００５】
そこで、この発明の課題は、入力し易く入力ミスが生じにくい入力表示装置を提供することにある。
【課題を解決するための手段】
【０００６】
上記課題を解決するため、この発明の加熱調理器は、
表示画面に少なくとも１つのアイコン画像を表示すると共にタッチパネルを有する入力表示部と、
上記タッチパネルへのユーザーの指またはペン状物体の接触箇所が上記アイコン画像に対応する検出領域であるか否かを判断する位置判断部と、
上記接触箇所が上記アイコン画像に対応する検出領域であると上記位置判断部が判断した場合に、上記アイコン画像に対応する入力がなされたと判断する入力判断部と、
上記アイコン画像に対応する検出領域の初期設定を、予め定められている複数の領域の中から切り換え選択した一つの領域に設定する検出領域設定部と
を備え、
上記予め定められている複数の領域は、アイコン画像と同じ領域,アイコン画像よりも広い領域およびアイコン画像よりも狭い領域の３種の領域であり、尚且つ、上記入力表示部によって複数の上記アイコン画像が表示されている場合には、上記アイコン画像に対応する検出領域の初期設定用の領域として、上記３種のうちの少なくとも２種の領域が設定されている入力表示装置を備え、
上記入力表示装置の上記入力表示部が上記表示画面に表示するアイコン画像は、加熱を開始するための加熱開始アイコン画像と、加熱を停止するための加熱停止アイコン画像とを含み、
上記検出領域設定部は、上記加熱開始アイコン画像に対応する検出領域の初期設定を、上記加熱開始アイコン画像よりも狭い領域に設定する一方、上記加熱停止アイコン画像に対応する検出領域の初期設定を、上記加熱停止アイコン画像よりも広い領域に設定する
ことを特徴としている。
【０００７】
この発明の加熱調理器によれば、検出領域設定部によって、上記アイコン画像に対応する検出領域の初期設定を、アイコン画像と同じ領域,アイコン画像よりも広い領域およびアイコン画像よりも狭い領域のごとく予め定められている複数の領域の中から選択した一つの領域に設定することができるので、アイコン画像が小さい場合には検出領域を広くする、複数のアイコン画像間の間隔が狭い場合には検出領域を狭くする、といった設定が可能となる。
また、この加熱調理器によれば、アイコン画像による入力が容易になると共に入力ミスを回避できる。
【０００８】
【０００９】
【００１０】
【００１１】
【００１２】
【００１３】
【００１４】
また、一実施形態の加熱調理器では、
上記入力表示部は、上記表示画面に複数のアイコン画像を表示し、
上記複数のアイコン画像の検出領域の検出感度を、各アイコン画像に応じて互いに異なる２段階以上の値に設定する検出感度設定部を備え、
上記検出感度設定部が設定する上記検出感度の値は、ユーザーの指またはペン状物体がアイコン画像を押す強さを表す値である。
【００１５】
この実施形態によれば、各アイコン画像に応じた検出感度を設定できる。例えば、加熱調理器の加熱停止キーなどのアイコン画像の検出感度を他のキーの検出感度に比べて高くすることで、加熱停止キーを弱く押しても、キー入力を有効とすることができるので、緊急のキー入力を要する場合に迅速にキー入力でき、加熱の緊急停止に対応できる。また、例えば、加熱調理器の加熱開始キーなどのアイコン画像の検出感度を他のキーの検出感度に比べて低くして、アイコン画像を強く押した場合にのみ、入力を有効とすることができるので、不用意な操作によって加熱が開始してしまうことを回避できる。
【００１６】
【００１７】
【００１８】
【００１９】
【発明の効果】
【００２０】
この発明の入力表示装置によれば、検出領域設定部によって、アイコン画像に対応する検出領域の初期設定を、「アイコン画像と同じ領域」,「アイコン画像よりも広い領域」および「アイコン画像よりも狭い領域」のごとく予め定められている複数の領域の中から選択した特定領域に設定することができるので、アイコン画像が小さい場合には検出領域を広くする、複数のアイコン画像間の間隔が狭い場合には検出領域を狭くする、といった設定が可能となる。よって、アイコン画像による入力を行い易くすることができて、入力ミスの発生を抑えることができる。
【図面の簡単な説明】
【００２１】
【図１】この発明の実施の一形態の入力表示装置を備えた加熱調理器の正面斜視図である。
【図２】上記加熱調理器の縦断面の模式図である。
【図３】上記加熱調理器の操作パネルの概略正面図である。
【図４】図３のＦ４−Ｆ４線矢視の模式断面図である。
【図５】上記加熱調理器の制御ブロック図である。
【図６】上記加熱調理器のカラー液晶表示部にトップ操作画面が表示された操作パネルの正面図である。
【図７】上記操作パネルの拡大正面図である。
【図８】上記加熱調理器の制御装置によって操作パネルの入力表示部を制御する動作を説明するためのフローチャートである。
【図９】図８のフローチャートに続くフローチャートである。
【図１０Ａ】ユーザーの指またはペン状物体の接触箇所がキー画像の検出領域外にある様子を示す模式図である。
【図１０Ｂ】ユーザーの指またはペン状物体の接触箇所がキー画像の検出領域内にある様子を示す模式図である。
【図１０Ｃ】上記キー画像の検出領域を広げた様子を示す模式図である。
【図１０Ｄ】ユーザーの指またはペン状物体の接触箇所が上記キー画像の検出領域の広げた部分にある様子を示す模式図である。
【図１０Ｅ】ユーザーの指またはペン状物体の接触箇所が上記キー画像の広げた検出領域の外にある様子を示す模式図である。
【図１０Ｆ】上記キー画像の検出領域を初期設定の検出領域に戻した様子を示す模式図である。
【図１１】キー画像の検出領域の初期設定を上記キー画像よりも広く設定した様子を示す模式図である。
【図１２】キー画像の検出領域をキー画像よりも狭く設定した様子を示す模式図である。
【発明を実施するための形態】
【００２２】
以下、この発明の表示装置および加熱調理器を図示の実施の形態により詳細に説明する。
【００２３】
図１はこの発明の実施の一形態の入力表示装置を備えた加熱調理器の正面斜視図を示している。
【００２４】
この実施の形態の加熱調理器は、図１に示すように、直方体形状のケーシング１の正面に、下端側の辺を略中心に回動する扉２が取り付けられている。この扉２の上部にハンドル３を取り付けると共に、扉２の略中央に耐熱ガラス４を取り付けている。また、扉２の右側に操作パネル５を設けている。この操作パネル５は、表示部の一例としてのカラー液晶表示部６とボタン群７を有している。また、ケーシング１の上側かつ右側後方に排気ダクト８を設けている。さらに、ケーシング１の扉２の下方に、露受容器９を着脱自在に取り付けている。
【００２５】
図２は上記加熱調理器の縦断面の模式図を示している。図２に示すように、水タンク１１から供給された水を蒸気発生装置１２で加熱して飽和水蒸気を生成する。蒸気発生装置１２で生成された飽和水蒸気は、蒸気供給通路(図示せず)を介して、加熱庫１３の右側面に取り付けられた循環ユニット１４の蒸気吸込口１５の加熱庫１３側に供給される。
【００２６】
上記蒸気供給通路に接続された蒸気供給管３４を、加熱庫１３の右側面と平行になるように、循環ユニット１４の蒸気吸込口１５の近傍に取り付けている。また、循環ユニット１４内には、蒸気吸込口１５に対向するように循環ファン１８を配置している。循環ファン１８は、ファンモータ１９によって回転駆動される。
【００２７】
上記加熱庫１３の上面および左側面を覆うように、Ｌ字状に屈曲した蒸気ダクト１００を取り付けている。この蒸気ダクト１００は、加熱庫１３の上面側に固定された第１ダクト部１１０と、第１ダクト部１１０の左側方から下側に屈曲する屈曲部１２０と、加熱庫１３の左側面側に固定され、屈曲部１２０を介して第１ダクト部１１０に連なる第２ダクト部１３０とを有している。
【００２８】
この蒸気ダクト１００の第１ダクト部１１０に、過熱蒸気生成ヒータ２０を収納している。蒸気ダクト１００の第１ダクト部１１０と、過熱蒸気生成ヒータ２０で過熱蒸気生成装置２１を構成している。なお、過熱蒸気生成装置は、蒸気ダクトとは別に設けてもよい。
【００２９】
そして、蒸気ダクト１００の第１ダクト部１１０の右側は、循環ユニット１４の上部に設けられた蒸気供給口２２に連通している。加熱庫１３の天面には、複数の第１蒸気吹出口２４が設けられており、蒸気ダクト１００の第１ダクト部１１０は、第１蒸気吹出口２４を介して加熱庫１３内に連通している。一方、蒸気ダクト１００の第２ダクト部１３０は、加熱庫１３の左側面に設けられた複数の第２蒸気吹出口２５を介して加熱庫１３内に連通している。
【００３０】
上記加熱庫１３と蒸気ダクト１００との隙間は、耐熱樹脂などによりシールされている。また、加熱庫１３と蒸気ダクト１００は、加熱庫１３の前面開口を除いて断熱材により覆われている。
【００３１】
上記循環ユニット１４と過熱蒸気生成装置２１と加熱庫１３とそれらを接続する接続部材とによって、蒸気の循環経路が形成されている。そして、この循環経路における循環ユニット１４の加熱庫１３との境界部に、蒸気発生装置１２で生成された飽和水蒸気が供給される。
【００３２】
また、加熱庫１３の下部にはマグネトロン８０(図５に示す)が配置されている。このマグネトロンで発生したマイクロ波は、導波管(図示せず)によって加熱庫１３の下部中央に導かれ、モータ３７によって駆動される回転アンテナ３８によって攪拌されながら加熱庫１３内の上方に向かって放射されて被加熱物２７を加熱する。
【００３３】
また、ケーシング１内の下側には、冷却ファン部(図示せず)と、電装部品１７と、マグネトロン８０(図５に示す)を配置している。電装部品１７は、加熱調理器の各部を駆動する駆動回路やこの駆動回路を制御する制御回路等を有している。
【００３４】
図３は図１に示す操作パネル５を拡大した概略図である。
【００３５】
ボタン群７は、戻るキー７１、取り消しキー７２、手動加熱キー７３およびあたためスタートキー７４で構成されている。戻るキー７１は、カラー液晶パネル６１の画面表示を直前の画面表示に戻すときに押す。また、取り消しキー７２は、途中で加熱をやめるときや、操作を取り消すときに押す。そして、手動加熱キー７３は、高周波出力および加熱出力を手動で設定するときに押す。また、あたためスタートキー７４は、加熱を開始するときに押す。上記戻るキー７１、取り消しキー７２、手動加熱キー７３、あたためスタートキー７４は、それぞれ、１つのアイコン画像をなす。
【００３６】
図４は図３のＦ４−Ｆ４線から見た模式断面図である。
【００３７】
上記カラー液晶表示部６は、カラー液晶パネル６１上にタッチパネル６２を重ねて構成されている。なお、この発明の入力表示部は、液晶パネルに限らず、有機ＥＬなどの他の表示デバイスを用いてもよく、カラー表示に限らず、白黒表示でもよい。
【００３８】
このカラー液晶パネル６１は、文字、数字、写真等をカラー表示できるものであり、加熱の種類、料理名、加熱時間、温度、料理の写真等を表示する。また、タッチパネル６２は、ユーザーが指でタッチすると、表面電荷を変化させる透明素材からなる静電容量方式のタッチパネルである。これにより、ユーザーはタッチパネル６２をタッチして、カラー液晶パネル６１に表示される画像を選択できるようになっている。また、ユーザーがタッチパネル６２をタッチして、カラー液晶パネル６１に表示される選択可能な画像を選択すると、その画像の色が変わるようになっている。つまり、カラー液晶パネル６１に表示される画像は、選択状態の色が非選択状態の色と異なるようになっている。なお、タッチパネル６２は、例えば、抵抗膜方式、表面弾性波方式、赤外線方式または電磁誘導方式のタッチパネルに換えてもよく、また、指によるタッチパネルの操作だけでなく、タッチペンなどのペン状物体を用いて操作してもよい。
【００３９】
また、上記ボタン群７は、上記カラー液晶パネル６１とタッチパネル６２を延長して構成されている入力表示部７５に表示されている。この入力表示部７５の一点鎖線で囲まれた領域が入力領域Ｒ１を示している。
【００４０】
図５は、上記加熱調理器の制御ブロック図を示している。この加熱調理器は、マイクロコンピュータと入出力回路などからなる制御装置３００を電装品部１７(図２に示す)内に備えている。制御装置３００は、過熱蒸気生成ヒータ２０,循環ファン用モータ１９,冷却ファン用モータ１６,給気ダンパ用モータ４４,排気ダンパ用モータ６０,操作パネル５,庫内温度センサ２９,解凍センサ５０,給水ポンプ７０,蒸気発生装置１２およびマグネトロン８０が接続されている。操作パネル５からの信号および庫内温度センサ２９,解凍センサ５０からの検出信号に基づいて、制御装置３００は、過熱蒸気生成ヒータ２０,循環ファン用モータ１９,冷却ファン用モータ１６,給気ダンパ用モータ４４,排気ダンパ用モータ６０,操作パネル５,給水ポンプ７０,蒸気発生装置１２およびマグネトロン８０などを制御する。
【００４１】
上記制御装置３００は、位置情報取得部３００ａ、位置判断部３００ｂ、接触判断部３００ｃ、入力判断部３００ｄ、検出領域拡大制御部３００ｅ、および、アイコン拡大設定部としてのキー領域拡大設定部３０１を有する。さらに、上記制御装置３００は、検出領域狭め設定部３００ｆ-２を有する。
【００４２】
上記検出領域狭め設定部３００ｆ-２は、図３,図７に示すように、初期設定として、上記あたためスタートキー７４,取り消しキー７２,手動加熱キー７３,戻るキー７１について各キー画像よりも狭い検出領域７４ａ,７２ａ,７３ａ,７１ａを設定する。
【００４３】
また、上記位置情報取得部３００ａは、上記タッチパネル６２の上記入力表示部７５における入力領域Ｒ１へのユーザーの指またはペン状物体の接触箇所の位置情報を取得する。また、上記位置判断部３００ｂは、上記接触箇所の位置情報が上記入力表示部７５に表示されている手動加熱キー７３,取り消しキー７２,戻るキー７１,あたためスタートキー７４のキー画像(図３に実線で示されている)に対応する検出領域の位置を表しているか否かを判断する。また、上記接触判断部３００ｃは、上記タッチパネル６２の上記入力領域Ｒ１にユーザーの指またはペン状物体が接触しているか否かを判断する。
【００４４】
また、上記制御装置３００の入力判断部３００ｄは、上記位置判断部３００ｂが上記接触箇所の位置情報が上記入力表示部７５の上記キー画像に対応する検出領域内の位置を表していると判断した場合に、上記キー画像に対応したキー入力がなされたと判断する。
【００４５】
さらに、この入力判断部３００ｄは、上記位置判断部３００ｂが上記接触箇所の位置情報が上記入力表示部７５の上記キー画像の検出領域内の位置を表していないと判断した場合には、上記接触判断部３００ｃがタッチパネル６２の入力領域Ｒ１にユーザーの指またはペン状物体が接触していると判断し続けている期間は、位置情報取得部３００ａに上記接触箇所の位置情報の取得を継続させる。そして、入力判断部３００ｄは、上記期間に位置判断部３００ｂが接触箇所の位置情報が入力表示部７５のキー画像に対応する検出領域内の位置を表していると判断したときに上記キー画像に対応したキー入力がなされたと判断する。そして、入力判断部３００ｄは、上記接触判断部３００ｃが上記タッチパネル６２の上記入力領域にユーザーの指またはペン状物体が接触しなくなったと判断したときに上記キー画像に対応したキー入力がなされていないと判断する。
【００４６】
また、上記検出領域拡大制御部３００ｅは、上記位置判断部３００ｂが上記接触箇所の位置情報が上記手動加熱キー７３,取り消しキー７２,戻るキー７１,あたためスタートキー７４のうちのいずれかのキー画像に対応する検出領域内の位置を表していると判断した場合に、上記接触判断部３００ｃが上記タッチパネル６２の入力領域Ｒ１にユーザーの指またはペン状物体が接触しているとの判断を継続している期間に、上記キー画像に対応する検出領域を初期設定の検出領域７３ａ,７２ａ,７１ａ,７４ａを検出領域７３ｂ,７２ｂ,７１ｂ,７４ｂへ広げる。
【００４７】
また、上記検出領域拡大制御部３００ｅは、上記検出領域を広げた後に、上記ユーザーの指またはペン状物体による接触箇所が上記広げた検出領域に対応するキー画像とは別のキー画像に対応する検出領域であると上記位置判断部３００ｂが判断した場合に、上記キー画像の広げた検出領域を広げる前の検出領域に戻す。
【００４８】
上記制御装置３００と操作パネル５とで、この実施形態の入力表示装置を構成している。
【００４９】
上記構成の加熱調理器において、過熱蒸気によって加熱調理を行う場合には、図２に示す過熱蒸気生成ヒータ２０をオンすると共に、循環ファン１８を回転駆動する。そうして、蒸気発生装置１２から循環ユニット１４の蒸気吸込口１５の近傍上流側に供給された飽和水蒸気は、循環ファン１８の回転によって負圧になっている循環ユニット１４内に蒸気吸込口１５を介して吸い込まれて、蒸気供給口２２から過熱蒸気生成装置２１内に吹き出される。そして、過熱蒸気生成装置２１の過熱蒸気生成ヒータ２０によって加熱されて過熱蒸気となる。この過熱蒸気の一部は、下側の加熱庫１３の天面に設けられた複数の第１蒸気吹出口２４から、加熱庫１３内に下方に向かって吹き出す。また、過熱蒸気の他の一部は、蒸気ダクト１００を介して加熱庫１３の第２蒸気吹出口２５から加熱庫１３内に吹き出す。
【００５０】
そして、加熱庫１３内に供給された過熱蒸気は、トレイ３０上の網４０に搭載された被加熱物２７を加熱した後、加熱庫１３の右壁面に循環ユニット１４の蒸気吸込口１５に対向して形成された吸込口２８から循環ユニット１４内に吸い込まれる。そうして、再び循環経路を通って加熱庫１３内に戻るという循環を繰り返す。
【００５１】
これに対して、非過熱蒸気によって被加熱物２７を蒸すかまたは暖める運転を行う場合には、過熱蒸気生成ヒータ２０をオフすると共に、循環ファン１８を停止する。そうすると、循環ファン１８が停止しているため、循環経路内に循環気流が発生することがなく、蒸気発生装置１２から循環ユニット１４の蒸気吸込口１５の近傍上流側に供給された飽和水蒸気は、循環ユニット１４内に強制的に吸い込まれない。これにより、蒸気圧によって自然に加熱庫１３内に流れ込む飽和水蒸気により、被加熱物２７を蒸すかまたは暖める。
【００５２】
ここで、加熱庫１３内の左壁面および右壁面には、図２に示すように、トレイ３０の両端部を係止する係止部３９ａ,３９ｂ,３９ｃが上下方向に３段に設けられている。そして、蒸気供給管３４は、上段の係止部３９ａよりもやや上側に位置するように配置されている。「蒸し暖めモード」において、被加熱物２７を搭載した２つのトレイ３０を上段と中段とに配置する場合には、蒸気導入室３６内に架設された蒸気供給管３４の総てのノズル(図２の３４の円形部の左側開口)を加熱庫１３方向に斜め下向きにしておく。こうすることにより、被加熱物２７を搭載したトレイ３０が上段および中段の何れの位置にあっても、蒸気供給管３４の斜め下向きのノズルから引き出された飽和水蒸気を被加熱物２７に当てることができる。したがって、蒸気供給管３４のノズルからの吹き出し方向を操作することなく、上中２段の被加熱物２７に蒸し斑や暖め斑が生ずることがないようにできる。
【００５３】
次に、操作パネル５の入力表示部７５に表示されたボタン群７が操作されたときの動作を説明する。まず、接触判断部３００ｃは、上記タッチパネル６２の入力領域Ｒ１にユーザーの指またはペン状物体が接触しているか否かを判断する。この接触判断部３００ｃが、ユーザーの指またはペン状物体が入力領域Ｒ１に接触していると判断すると、上記位置判断部３００ｂは、上記接触箇所の位置情報が上記入力表示部７５に表示されている上記手動加熱キー７３,取り消しキー７２,戻るキー７１,あたためスタートキー７４の各キー画像のうちのいずれかの検出領域７３ａ,７２ａ,７１ａ,７４ａ内の位置を表しているか否かを判断する。
【００５４】
例えば、上記位置判断部３００ｂが、上記接触箇所の位置情報があたためスタートキー(加熱開始キー)７４の検出領域７４ａ内の位置を表していると判断すると、上記入力判断部３００ｄは、上記あたためスタートキー(加熱開始キー)７４のキー入力がなされたと判断する。すると、予めユーザーがカラー液晶表示部６のタッチパネル６２をタッチしてカラー液晶パネル６１に表示される画像を選択することで選択された所望の調理メニューが制御装置３００の制御で実行される。また、例えば、上記位置判断部３００ｂが、上記接触箇所の位置情報が手動加熱キー７３の検出領域７３ａ内の位置を表していると判断すると、上記入力判断部３００ｄは、上記手動加熱キー７３のキー入力がなされたと判断する。すると、上記制御装置３００によって、カラー液晶表示部６に高周波出力および加熱出力を手動で設定するための画面が表示され、ユーザーはタッチパネル６２をタッチして所望の設定を行なうこととなる。また、例えば、上記位置判断部３００ｂが、上記接触箇所の位置情報が取り消しキー(加熱停止キー)７２の検出領域７２ａ内の位置を表していると判断すると、上記入力判断部３００ｄは、上記取り消しキー７２のキー入力がなされたと判断する。すると、加熱調理中であっても加熱調理器による加熱が制御装置３００の制御により停止される。また、例えば、上記位置判断部３００ｂが、上記接触箇所の位置情報が戻るキー７１の検出領域７１ａ内の位置を表していると判断すると、上記入力判断部３００ｄは、戻るキー７１のキー入力がなされたと判断する。すると、制御装置３００により、カラー液晶パネル６１の画面表示が直前の画面表示に戻される。
【００５５】
そして、上記位置判断部３００ｂが上記接触箇所の位置情報が上記入力表示部７５の上記ボタン群７のキー７１〜７４のいずれについても検出領域内の位置を表していないと判断した場合には、入力判断部３００ｄは、接触判断部３００ｃがタッチパネル６２の入力領域Ｒ１にユーザーの指またはペン状物体が接触していると判断し続けている期間は、位置情報取得部３００ａに上記接触箇所の位置情報の取得を継続させる。この期間に、上記位置判断部３００ｂが上記接触箇所の位置情報が上記入力表示部７５の上記ボタン群７のキー７１〜７４のいずれかの検出領域内の位置を表していると判断したときに、入力判断部３００ｄは上記キー画像に対応したキー入力がなされたと判断する。
【００５６】
例えば、初めに、ユーザーの指またはペン状物体による接触箇所が上記あたためスタートキー７４,手動加熱キー７３,取り消しキー７２,戻るキー７１のいずれのキー画像の検出領域の外であっても、タッチパネル６２の入力領域Ｒ１へユーザーの指またはペン状物体を接触させたままで接触箇所を上記あたためスタートキー７４の検出領域内に移動させれば、上記あたためスタートキー７４によるキー入力を行なうことができる。したがって、使用者はタッチパネル６２の入力領域Ｒ１へユーザーの指またはペン状物体を接触させたまま上記あたためスタートキー７４の検出領域７４ａ内にスライドさせることで、あたためスタートキー７４のキー入力が可能になり、キー入力し易くなる。このことは、ボタン群７の他のキー(手動加熱キー７３,取り消しキー７２,戻るキー７１)についても同様である。
【００５７】
一方、上記位置判断部３００ｂが上記接触箇所の位置情報が上記入力表示部７５の上記いずれのキー画像の検出領域内の位置も表していないと判断した場合に、上記接触判断部３００ｃがタッチパネル６２の入力領域Ｒ１にユーザーの指またはペン状物体が接触しなくなったと判断したときに入力判断部３００ｄは上記いずれのキー画像に対応したキー入力もなされていないと判断する。
【００５８】
また、検出領域拡大制御部３００ｅは、例えば、ユーザーの指またはペン状物体を上記あたためスタートキー７４の検出領域７４ａに接触させて、入力判断部３００ｄによって、上記あたためスタートキー７４がキー入力されたと判断した場合に、ユーザーの指またはペン状物体が上記タッチパネル６２へ接触している期間に、上記あたためスタートキー７４の検出領域７４ａを広げる。これにより、キー入力中にユーザーの指またはペン状物体がぶれてタッチパネル６２への接触箇所が上記あたためスタートキー７４の元の検出領域７４ａから外れても、ユーザーの指またはペン状物体を上記広げた検出領域７４ｂに接触させている限りは、上記あたためスタートキー７４のキー入力が継続され、キー入力がキャンセルされてしまうことを回避できる。
【００５９】
また、検出領域拡大制御部３００ｅは、上記検出領域７４ａを広げた後に、上記接触箇所が上記広げた検出領域７４ｂに対応するあたためスタートキー７４とは別のキー画像(例えば、取り消しキー７２)に対応する検出領域であると上記位置判断部３００ｂが判断した場合に、上記広げた検出領域７４ｂを広げる前の検出領域７４ａに戻す。このことは、ボタン群７の他のキー(手動加熱キー７３,取り消しキー７２,戻るキー７１)についても同様である。
【００６０】
図８,図９は、この実施形態における制御装置３００によって操作パネル５の入力表示部７５を制御する動作を説明するためのフローチャートである。
【００６１】
まず、制御装置３００は、ステップＳ１０１において、カラー液晶パネル６１に図３,図７に示すボタン群７を表示する。次に、ステップＳ１０２に進み、上記検出領域狭め設定部３００ｆ-２は、図７に示すように、初期設定として、上記あたためスタートキー７４,取り消しキー７２,手動加熱キー７３,戻るキー７１の各キー画像よりも狭い検出領域７４ａ,７２ａ,７３ａ,７１ａを設定する。
【００６２】
次に、ステップＳ１０３に進み、接触判断部３００ｃによって、タッチパネル６２の入力領域Ｒ１にユーザーの指またはペン状物体が接触しているか否かを判断する。ステップＳ１０３で、タッチパネル６２の入力領域Ｒ１にユーザーの指またはペン状物体が接触していると判断すると、ステップＳ１０４に進み、ステップＳ１０３で、ユーザーの指またはペン状物体が接触していないと判断するとステップＳ１０３を繰り返す。
【００６３】
ステップＳ１０４では、位置判断部３００ｂによって、上記接触箇所の位置情報が入力表示部７５に表示されている手動加熱キー７３,取り消しキー７２,戻るキー７１,あたためスタートキー７４の各キー画像の検出領域７３ａ,７２ａ,７１ａ,７４ａのうちのいずれか１つの位置を表しているか否かを判断する。このステップＳ１０４で、上記接触箇所の位置情報が各キー画像の検出領域のうちのいずれか１つの検出領域の位置を表していると判断すると、ステップＳ１０５に進み、ステップＳ１０４で上記接触箇所の位置情報が各キー画像の検出領域うちのいずれの検出領域の位置も表していないと判断すると、ステップＳ１０６に進む。
【００６４】
ステップＳ１０５では、上記検出領域拡大制御部３００ｅにより、上記接触箇所の位置情報に該当するキー画像に対応する検出領域を拡大して、ステップＳ１０８に進む。図７は、上記手動加熱キー７３,取り消しキー７２,戻るキー７１,あたためスタートキー７４の各キー画像に対応する拡大した検出領域７３ｂ,７２ｂ,７１ｂ,７４ｂの一例を示している。
【００６５】
一方、ステップＳ１０６では、入力判断部３００ｄは、接触判断部３００ｃが上記タッチパネル６２の入力領域Ｒ１へユーザーの指またはペン状物体が接触していると判断しているか否かを判断する。このステップＳ１０６で、上記接触していると判断するとステップＳ１０４に戻り、接触していないと判断するとステップＳ１０７に進む。ステップＳ１０７では、入力判断部３００ｄにより、キー入力がなされていないと判断してステップＳ１０３に戻る。
【００６６】
ステップＳ１０８では、入力判断部３００ｄが、上記接触箇所の位置情報に該当するキー画像に対応したキー入力がなされたと判断してステップＳ１０９に進む。ステップＳ１０９では、入力判断部３００ｄが、接触判断部３００ｃがタッチパネル６２の入力領域Ｒ１へユーザーの指またはペン状物体の接触が接触していると判断しているか否かを判断する。このステップＳ１０９で、上記接触していると判断すると、図９のステップＳ１２１に進み、ステップＳ１０９で、上記接触していないと判断すると、ステップＳ１１０に進んで、検出領域拡大制御部３００ｅにより上記キー画像に対応する検出領域を初期設定に戻してから、ステップＳ１０３に戻る。
【００６７】
一方、図９のステップＳ１２１では、上記検出領域拡大制御部３００ｅは、上記入力領域Ｒ１へのユーザーの指またはペン状物体の接触箇所が、上記拡大した検出領域にあるか否かを判断し、上記接触箇所が上記拡大した検出領域にあると判断するとステップＳ１２２に進み、上記拡大された検出領域を維持して、ステップＳ１０８に戻る。一方、ステップＳ１２１で、上記接触箇所が上記拡大した検出領域にないと判断するとステップＳ１２３に進む。このステップＳ１２３では、上記検出領域拡大制御部３００ｅは、上記検出領域を広げた後に、上記接触箇所が、上記広げた検出領域に対応するキー画像とは別のキー画像に対応する検出領域であると位置判断部３００ｂが判断した場合には、ステップＳ１２４に進む。一方、ステップＳ１２３で、上記接触箇所が、別のキー画像に対応する検出領域ではないと判断した場合は、ステップＳ１１０に進む。ステップＳ１２４では、検出領域拡大制御部３００ｅは、元のキー画像に対応する検出領域を初期設定に戻すと共に、上記別のキー画像を新たに選択されたキー画像として、ステップＳ１０５に戻る。
【００６８】
上述のように、この実施形態の入力表示装置によれば、上記キー画像の検出領域にユーザーの指またはペン状物体を接触させると、検出領域拡大制御部３００ｅは、上記検出領域を広げる。よって、上記接触の後に、上記ユーザーの指またはペン状物体の接触箇所が元の検出領域から外れても上記広げた検出領域内にあれば、入力判断部３００ｄは、上記キー画像に対応したキー入力がなされたと判断する。したがって、キー入力中に、ユーザーの指が震える等によって上記接触箇所が元の検出領域から外れても上記広げた検出領域内にあれば、キー入力がキャンセルされてしまうことを回避でき、キー入力が維持される。
【００６９】
この実施形態によれば、例えば、図１０Ａに示すように、上記タッチパネル６２の入力領域Ｒ１へのユーザーの指またはペン状物体の接触箇所５００が上記入力領域Ｒ１に示されるボタン群７の各キーに対応するキー画像５０１の初期設定の検出領域５０１ａの領域外であっても、上記タッチパネル６２の入力領域Ｒ１へユーザーの指またはペン状物体を接触させたままで、図１０Ｂに示すように、上記接触箇所５００をキー画像５０１の検出領域５０１ａの領域内に移動させれば、キー画像５０１に対応したキー入力を行なうことができる。
【００７０】
また、この実施形態によれば、図１０Ｂに示すように、上記接触箇所５００をキー画像５０１の検出領域５０１ａに移動させると、上記検出領域拡大制御部３００ｅにより、上記キー画像５０１の検出領域５０１ａを広げて、図１０Ｃに示すように、拡大した検出領域５０１ｂにすることができる。したがって、キー入力中に、指がぶれる等によって、図１０Ｄに示すように、上記接触箇所５００が初期設定の検出領域５０１ａから外れても、上記広げた検出領域５０１ｂにあれば、キー入力を維持できて、キー入力がキャンセルされてしまうことを回避できる。
【００７１】
また、この実施形態によれば、図１０Ｅに示すように、上記ユーザーの指またはペン状物体の接触箇所５００が上記広げた検出領域５０１ｂから外れた場合には、図１０Ｆに示すように、上記広げた検出領域５０１ｂを元の初期設定の検出領域５０１ａに戻して、入力判断部３００ｄは、キー画像５０１に対応したキー入力がなされていないと判断する。よって、キー画像５０１から大きく離れた位置へのユーザーの指またはペン状物体による接触については無効にできる。
【００７２】
また、この実施形態では、上記検出領域拡大制御部３００ｅは、上記検出領域を広げた後に、上記位置判断部３００ｂがユーザーの指またはペン状物体による接触箇所が上記広げた検出領域に対応するキー画像とは別のキー画像に対応する検出領域であると判断した場合に、上記広げた検出領域を広げる前の検出領域に戻す。このように、選択されなくなった元のキー画像の検出領域を狭めると共に、新たに選択された別のキー画像の検出領域を広げることで、キー画像による入力を行ない易くできる。
【００７３】
また、この実施形態によれば、上記検出領域狭め設定部３００ｆ-２は、初期設定として、手動加熱キー７３,取り消しキー７２,戻るキー７１,あたためスタートキー７４の各キー画像の検出領域７３ａ,７２ａ,７１ａ,７４ａをそのキー画像よりも狭くするので、キー入力を行なう際に誤って隣接する別のキー画像のキー入力を行なってしまうことを回避できる。なお、上記検出領域狭め設定部３００ｆ-２は、初期設定として、上記手動加熱キー７３,取り消しキー７２,戻るキー７１,あたためスタートキー７４のうちの予め定められたキーについてのみ、キー画像よりも検出領域を狭く初期設定してもよい。例えば、上記手動加熱キー７３,取り消しキー７２,戻るキー７１については、狭い検出領域７３ａ,７２ａ,７１ａとする一方、あたためスタートキー７４についてはキー画像の領域と同じ検出領域に初期設定してもよい。
【００７４】
このように、上記検出領域狭め設定部３００ｆ-２によれば、例えば、近接して配置されている手動加熱キー７３,取り消しキー７２,戻るキー７１について、各キー画像よりも狭い有効領域７３ａ,７２ａ,７１ａを設定できる。この設定の一例に対応する図１２に例示するように、配置されているキー画像７０１,７０２,７０３の有効領域７０１ａ,７０２ａ,７０３ａをそのキー画像７０１,７０２,７０３よりも狭く設定することとなるので、キー入力を行なう際に誤って隣接する別のキー画像のキー入力を行なってしまうことを回避できる。
【００７５】
また、この実施形態の入力表示装置では、キー領域拡大設定部３０１を有し、このキー領域拡大設定部３０１は、予め定められたキー画像の一例としての取り消しキー(加熱停止キー)７２のキー画像領域と初期設定の検出領域を、この取り消しキー７２に隣り合う手動加熱キー７３および戻るキー７１のキー画像領域と初期設定の検出領域よりも広く設定する。これにより、例えば、緊急の加熱停止を要する場合に取り消しキー(加熱停止キー)７２のキー入力がしづらい状況を回避できる。また、上記キー領域拡大設定部３０１は、あたためスタートキー７４の画像領域と初期設定の検出領域を、手動加熱キー７３,取り消しキー７２,戻るキー７１の画像と初期設定の検出領域よりも広く設定する。これにより、入力の頻度が最も高いあたためスタートキー７４のキー入力を容易にすることができる。
【００７６】
また、上記実施形態の入力表示装置において、上記検出領域狭め設定部３００ｆ-２に替えて、図５に破線で示す検出領域拡大設定部３００ｆ-１を備えてもよい。この検出領域拡大設定部３００ｆ-１は、手動加熱キー７３,取り消しキー７２,戻るキー７１,あたためスタートキー７４の各キー画像のうちの、予め定められたキー画像(例えば、取り消しキー７２)について、図７に２点鎖線で示すように、初期設定として、キー画像よりも広い検出領域(例えば、検出領域７２ｃ)を設定する。なお、検出領域拡大設定部３００ｆ-１により、上記取り消しキー７２の他に、上記手動加熱キー７３,戻るキー７１,あたためスタートキー７４のうちのいずれか１つ以上について、キー画像よりも広い検出領域７３ｃ,７１ｃ,７４ｃを初期設定してもよい。なお、上記検出領域拡大設定部３００ｆ-１は、上記予め定められたキー画像以外のキー画像については、上記検出領域狭め設定部３００ｆ-２と同様に、キー画像よりも検出領域を狭く初期設定するものとしてもよく、キー画像とその検出領域とを同じ領域に初期設定するものとしてもよい。この検出領域拡大設定部３００ｆ-１によれば、図１１に例示するように、予め定められたキー画像６０１の検出領域６０１ａを上記キー画像６０１よりも広く初期設定する。この検出領域拡大設定部３００ｆ-１によれば、キー画像６０１が小さくても上記キー画像６０１の検出領域６０１ａを広く初期設定できるので、小さなキー画像でも入力し易くなる。なお、手動加熱キー７３,取り消しキー７２,戻るキー７１,あたためスタートキー７４の各キー画像のうちの、予め定められたキー画像について、初期設定として、キー画像と同じ領域の検出領域を設定する検出領域一致設定部３００ｆ-０を備えてもよい。なお、この検出領域一致設定部３００ｆ-０は、上記予め定められたキー画像以外のキー画像については、キー画像よりも検出領域を広く初期設定するものとしてもよく、キー画像よりも検出領域を狭く初期設定するものとしてもよい。また、検出領域拡大設定部３００ｆ-１と検出領域狭め設定部３００ｆ-２の各機能を併せ持つ１つの検出領域設定部を検出領域非同一設定部として備えてもよい。さらに、上記検出領域一致設定部３００ｆ-０と検出領域拡大設定部３００ｆ-１と検出領域狭め設定部３００ｆ-２の各機能を併せ持つ１つの検出領域設定部を備えてもよい。
【００７７】
また、上記実施形態において、検出感度設定部として図５に示すキー高感度設定部３００ｇ‐１を備えてもよい。このキー高感度設定部３００ｇ‐１は、図６に示す手動加熱キー７３,取り消しキー７２,戻るキー７１,あたためスタートキー７４の各キー画像のうちの、予め定められたキー画像(例えば取り消しキー７２)に対応するキー感度を、上記予め定められたキー画像とは異なる別のキー画像のキー感度よりも高く設定する。このキー高感度設定部３００ｇ‐１によれば、予め定められたキー(例えば取り消しキー７２)を入力し易くなり、例えば、緊急の加熱停止を要する場合に取り消しキー(加熱停止キー)７２のキー入力を速やかに行なうことができる。また、上記実施形態において、検出感度設定部として図５に示すキー低感度設定部３００ｇ‐２を備えてもよい。このキー低感度設定３００ｇ‐２は、手動加熱キー７３,取り消しキー７２,戻るキー７１,あたためスタートキー７４の各キー画像のうちの、予め定められたキー画像(例えばあたためスタートキー７４)について、キー感度を、上記予め定められたキー画像とは異なる別のキー画像のキー感度よりも低く設定する。このキー低感度設定部３００ｇ‐２によれば、予め定められたキーのキー感度を低くして、キーを強く押した場合にのみ、キー入力を有効とすることができるので、例えば、加熱調理器のあたためスタートキー(加熱開始キー)７４などにおいて、不用意な操作によって加熱が開始してしまうことを回避できる。なお、上記キー高感度設定部３００ｇ‐１とキー低感度設定部３００ｇ‐２の両方の機能を併せ持つ１つのキー感度設定部を検出感度設定部として備えてもよい。
【００７８】
また、上記実施形態において、上記制御装置３００の入力判断部３００ｄは、手動加熱キー７３,取り消しキー７２,戻るキー７１,あたためスタートキー７４のうちの、予め定められたキー(例えば、あたためスタートキー７４(加熱開始キー))に対応するキー画像について、予め定められた時間(例えば、１秒または２秒間)以上の期間、上記位置判断部３００ｂが上記接触箇所の位置情報が上記予め定められたキーのキー画像に対応する検出領域内の位置を表していると判断したときに、上記予め定められたキーのキー入力がなされたと判断する一方、上記位置判断部３００ｂが上記接触箇所の位置情報が上記予め定められたキーのキー画像に対応する検出領域内の位置を表していると判断している期間が上記予め定められた時間未満であると判断したときに、上記予め定められたキーのキー入力がなされていないと判断するものとしてもよい。この場合、上記入力判断部３００ｄは、ユーザーの指またはペン状物体を上記キー画像の検出領域に予め定められた時間以上接触させたときに初めて上記キー画像のキー入力がなされたと判断する。したがって、例えば、加熱調理器のあたためスタートキー(加熱開始キー)７４において、不用意な操作によって加熱が開始してしまうことを回避できる。
【００７９】
また、上記実施形態において、制御装置３００により、図１０Ｂ,図１０Ｃに例示するキー入力がなされた状態のキー画像５０１を、図１０Ａに例示するキー入力がなされていないキー画像５０１と比較して、色(色相,明度,彩度)が変わるか、コントラストが変わるか、例えば網掛けなどの模様の変更などを行なうことにより、他のキー入力がなされていないキー画像と容易に区別できるようにしてもよい。
【００８０】
上記実施の形態では、加熱調理器に備えられた入力表示装置について説明したが、入力表示装置はこれに限らず、他の電子装置などにこの発明の入力表示装置を適用してもよい。例えば、本発明の入力表示装置は、携帯電話や携帯端末などにも適用することが可能である。また、本発明は、図形,文字,画像のいずれか一つ若しくはそれらの組み合わせからなるアイコン画像を表示し、このアイコン画像に対応する検出領域に対するタッチの有無を検出することにより、機器制御を行う入力表示装置に適用できる。
【００８１】
また、この発明の加熱調理器としては、例えば、過熱水蒸気を使用するオーブンレンジのみならず、過熱水蒸気を使用するオーブン、過熱水蒸気を使用しないオーブンレンジ、過熱水蒸気を使用しないオーブンなどがある。
【００８２】
この発明の加熱調理器では、オーブンレンジなどにおいて、過熱水蒸気または飽和水蒸気を用いることによって、ヘルシーな調理を行うことができる。例えば、本発明の加熱調理器では、温度が１００℃以上の過熱水蒸気または飽和水蒸気を食品表面に供給し、食品表面に付着した過熱水蒸気または飽和水蒸気が凝縮して大量の凝縮潜熱を食品に与えるので、食品に熱を効率よく伝えることができる。また、凝縮水が食品表面に付着して塩分や油分が凝縮水と共に滴下することにより、食品中の塩分や油分を低減できる。さらに、加熱庫内は過熱水蒸気または飽和水蒸気が充満して低酸素状態となることにより、食品の酸化を抑制した調理が可能となる。ここで、低酸素状態とは、加熱庫内において酸素の体積％が１０％以下(例えば２〜３％)である状態を指す。
【００８３】
この発明の具体的な実施の形態について説明したが、この発明は上記実施の形態に限定されるものではなく、この発明の範囲内で種々変更して実施することができる。
【符号の説明】
【００８４】
１…ケーシング
２…扉
３…ハンドル
４…耐熱ガラス
５…操作パネル
６…カラー液晶表示部
７…ボタン群
８…排気ダクト
９…露受容器
１１…水タンク
１２…蒸気発生装置
１３…加熱庫
１４…循環ユニット
１５…蒸気吸込口
１７…電装部品
１８…循環ファン
１９…ファンモータ
２０…過熱蒸気生成ヒータ
２１…過熱蒸気生成装置
２２…蒸気供給口
２４…第１蒸気吹出口
２５…第２蒸気吹出口
２７…被加熱物
２８…吸込口
３０…トレイ
３４…蒸気供給管
３６…蒸気導入室
３７…モータ
３８…回転アンテナ
３９a,３９ｂ,３９c…係止部
４０…網
６１…カラー液晶パネル
６２…タッチパネル
７１…戻るキー
７１ａ…狭い検出領域(初期設定)
７１ｂ…広い検出領域
７１ｃ…広い検出領域(初期設定)
７２…取り消しキー
７２ａ…狭い検出領域(初期設定)
７２ｂ…広い検出領域
７２ｃ…広い検出領域(初期設定)
７３…手動加熱キー
７３ａ…狭い検出領域(初期設定)
７３ｂ…広い検出領域
７３ｃ…広い検出領域(初期設定)
７４…あたためスタートキー
７４ａ…狭い検出領域(初期設定)
７４ｂ…広い検出領域
７４ｃ…広い検出領域(初期設定)
７５…入力表示部
８０…マグネトロン
１００…蒸気ダクト
１１０…第１ダクト部
１２０…屈曲部
１３０…第２ダクト部
３００…制御装置
３００ａ…位置情報取得部
３００ｂ…位置判断部
３００ｃ…接触判断部
３００ｄ…入力判断部
３００ｆ‐０…検出領域一致設定部
３００ｆ‐１…検出領域拡大設定部
３００ｆ‐２…検出領域狭め設定部
３００ｇ‐１…キー高感度設定部
３００ｇ‐２…キー低感度設定部
３０１…キー領域拡大設定部
３００ｅ…検出領域拡大制御部
５００…接触箇所
５０１,６０１…キー画像
５０１ａ,６０１ａ…検出領域
５０１ｂ…拡大した検出領域
Ｒ１…入力領域
【図１】
0005883219.tif 000002
【図２】
0005883219.tif 000003
【図３】
0005883219.tif 000004
【図４】
0005883219.tif 000005
【図５】
0005883219.tif 000006
【図６】
0005883219.tif 000007
【図７】
0005883219.tif 000008
【図８】
0005883219.tif 000009
【図９】
0005883219.tif 000010
【図１０Ａ】
0005883219.tif 000011
【図１０Ｂ】
0005883219.tif 000012
【図１０Ｃ】
0005883219.tif 000013
【図１０Ｄ】
0005883219.tif 000014
【図１０Ｅ】
0005883219.tif 000015
【図１０Ｆ】
0005883219.tif 000016
【図１１】
0005883219.tif 000017
【図１２】
0005883219.tif 000018